(57)【要約】【課題】ロール製品に対するセットが簡単に行えることは勿論、ロール製品の転がし移動が行えて、その際のロール製品の保護も行えるプロテクタを、簡単な構成によって提供すること。【解決手段】円板状のプロテクタ本体１１と、このプロテクタ本体１１の、ロール製品２０側となる面の中央に一体的に突出形成されて、ロール製品２０の巻芯２１の端面に当接することになる隔離部１２と、この隔離部１２に一体化されて、巻芯２１の端部内に挿入される支持筒１３と、を備えたこと。【選択図】図１
2016050032.tif 000002
【特許請求の範囲】
【請求項１】
円板状のプロテクタ本体と、
このプロテクタ本体の、ロール製品側となる面の中央に一体的に突出形成されて、前記ロール製品の巻芯の端面に当接することになる隔離部と、
この隔離部に一体化されて、前記巻芯の端部内に挿入される支持筒と、
を備えたことを特徴とするロール製品のプロテクタ。
【請求項２】
前記プロテクタ本体の、前記支持筒とは反対側になる面の中央に、他のプロテクタの前記隔離部及び支持筒を収納すべく開口する収納開口を形成したことを特徴とする請求項１に記載のプロテクタ。
【発明の詳細な説明】
【技術分野】
【０００１】
本発明は、プラスチックフィルム、プラスチックシート、紙等の長尺基礎製品を巻芯にロール状に巻いた製品のためのプロテクタに関するものである。
【背景技術】
【０００２】
プラスチックフィルム、プラスチックシート、紙等の長尺基礎製品は、巻芯にロール状に巻いて製品化される、つまり、ロール製品とされる。そして、このロール製品は、運搬したり保管したりする際に、ロール製品の端部に「プロテクタ」を取り付けることにより、長尺基礎製品の端部が汚れたり破損したりすることの無いように保護される。勿論、このロール製品は、「プロテクタ」によって、床面や収納箱に直接接触しないようにして、保管や収納もなされる。
【０００３】
この種の「プロテクタ」としては、出願人も特許文献１において種々な工夫を凝らしたものとして提案してきており、また、特許文献２においても、他の形式のプロテクタが提案されている。
【先行技術文献】
【特許文献】
【０００４】
【特許文献１】特許第５４１６８５３号掲載公報
【特許文献２】実用新案登録第３１７６８３９号掲載公報、要約、代表図
【発明の概要】
【発明が解決しようとする課題】
【０００５】
特許文献２の「ロールフィルム端部保護具」は、「フィルムの包装作業を行いやすく、且つフィルムの粉塵汚染を防止でき、並びに緩衝と衝突防止の能力を増加し、これにより包装効率と保護効果をアップするロールフィルム端部保護具を提供する」ことを目的としてなされたもので、図６に示すように、「ロールフィルム端部保護具は、フィルム５０が巻かれる中心軸管６０の二端に保護板４０が設けられ、該保護板４０が金属で形成され、且つ中央に該中心軸管６０の二端に嵌合するための嵌合部４０３が一体成形方式で凸設されている」ものである。これにより、「金属で一体成形された保護板４０により、フィルム５０の包装作業に便利で、フィルム５０の粉塵汚染を防止し、並びに緩衝及び衝突防止の能力を増し、これにより包装効率と保護効果をアップすることができる」と考えられる。
【０００６】
ところで、この種のプロテクタによって保護されたロール製品は、例えば図３に示すような状態にして転がして移動されることもあるものであり、その際にロール製品の重力がプロテクタに直接掛かって、ロール製品の端部を破損させてしまうこともあり得る。すなわち、特許文献２のプロテクタを円形にしたところで、転がして移動する際にロール製品の重力がプロテクタに直接掛かることには変わりがなく、ロール製品の端部を破損させてしまうと考えられる。
【０００７】
そこで、ロール製品を転がして移動する際の重力がプロテクタに直接掛からないようにする従来の手段として、図５に示すような方法が採られていた。この図５に示す方法は、ロール製品の端部とプロテクタの本体板との間に、段ボール板のような緩衝材を介在させておいて、特許文献２のプロテクタと同様に、ロール製品の巻芯内に嵌合される支持筒によって、本体板をロール製品に取り付けるものである。
【０００８】
ところで、図５に示すような方法を採った場合、ロール製品の端部とプロテクタの本体板との間の緩衝材によって、図３に示す移動作業時には、ロール製品の端部が緩衝材によって保護されて、非常に有効となるのであるが、この緩衝材を入れた状態でロール製品の端部にプロテクタを取り付ける作業が非常に大変なのである。
【０００９】
この図５に示す方法では、ロール製品の端部とプロテクタの本体板との間に入れる緩衝材を用意しなければならないだけでなく、プロテクタの本体板と支持筒とを別体にして成形し、これらのセットは手作業で行わなければならないからである。
【００１０】
そこで、本発明者等は、この種のプロテクタについて、ロール製品に対するセットが簡単に行えることは勿論、図３に示した転がし移動の際にもロール製品の保護が行えるようにするにはどうしたらよいか、について種々検討を重ねてきた結果、本発明を完成したのである。
【００１１】
すなわち、本発明の第一目的は、ロール製品に対するセットが簡単に行えることは勿論、ロール製品の転がし移動が行えて、その際のロール製品の保護も行えるプロテクタを、簡単な構成によって提供することにある。
【００１２】
また、本発明の第二目的は、上記第一目的が達成できて、さらに複数のものを効率よく積み重ねることができるようにしたプロテクタを提供することにある。
【課題を解決するための手段】
【００１３】
以上の課題を解決するために、まず、請求項１に係る発明の採った手段は、後述する最良形態の説明中で使用する符号を付して説明すると、
「円板状のプロテクタ本体１１と、
このプロテクタ本体１１の、ロール製品２０側となる面の中央に一体的に突出形成されて、ロール製品２０の巻芯２１の端面に当接することになる隔離部１２と、
この隔離部１２に一体化されて、巻芯２１の端部内に挿入される支持筒１３と、
を備えたことを特徴とするロール製品２０のプロテクタ１０」
である。
【００１４】
この請求項１に係るプロテクタ１０は、図１の（ａ）及び（ｂ）に示すように、プロテクタ本体１１がその大部分を占めるものであるが、このプロテクタ本体１１に隔離部１２及び支持筒１３を一体的に形成したものであり、主として合成樹脂を材料とするものである。また、このプロテクタ１０は、図３に示すようなロール製品２０の転がし移動をも可能にするために、その大部分を占めるプロテクタ本体１１について、図１の（ａ）に示すように、円板状に形成したものである。
【００１５】
転がし移動は、前述したように、丸太のようになっているロール製品２０の一端部側の縁の一部を、図３にも示すような状態で床面に接地させて、ロール製品２０の他端部側を回転させることにより、ロール製品２０の縁の一部を接地状態にしながら転がす移動方法である。この請求項１に係るプロテクタ１０は、この転がし移動する際に、ロール製品２０の縁に代わって接地することになるものである。
【００１６】
さて、このプロテクタ１０は、図１の（ｂ）に示したようにして、ロール製品２０の両端部にセットされる。つまり、このプロテクタ１０は、ロール製品２０の保護をするためには、ロール製品２０の両端にそれぞれセットされるものであり、ロール製品２０の軸方向側面ではなく円形の両端部を保護するものである。一方、ロール製品２０においては、図１の（ｂ）等に示すように、プラスチックフィルム等の長尺基礎製品を円筒状の巻芯２１に大量に巻き取られており、本発明に係るプロテクタ１０は、この巻芯２１の開口を利用してセットされるのである。
【００１７】
この請求項１に係るプロテクタ１０のロール製品２０に対するセットは、図１の（ｂ）にも示すように、その支持筒１３を上述したロール製品２０側の巻芯２１内に強制嵌合することにより行われる。このとき、当該プロテクタ１０のプロテクタ本体１１の、ロール製品２０側となる面の中央には隔離部１２が一体的に突出形成されているから、この隔離部１２がロール製品２０の巻芯２１の端面に当接し、これによりセットが完了することになる。
【００１８】
セットが完了したとき、図１の（ｂ）にも示すように、ロール製品２０の両端部は円板状のプロテクタ本体１１によって覆われるが、隔離部１２がロール製品２０の巻芯２１の端面に当接していることにより、プロテクタ本体１１とロール製品２０との間には緩衝空間３０が確保されることになる。この緩衝空間３０が存在することによって、当該プロテクタ１０とロール製品２０とが直接接触することはないから、当該ロール製品２０を軸心が縦になる通常の保管状態でロール製品２０を構成しているプラスチックフィルム等の端縁が汚損したり破れたりすることがないことは勿論、箱爪した場合であっても、ロール製品２０の端面は保護される。
【００１９】
そして、プロテクタ１０とロール製品２０との間に緩衝空間３０が存在することによって、図３に示すような転がし移動を行う場合も、ロール製品２０を構成しているプラスチックフィルム等の端縁が汚損したり破れたりすることがない。
【００２０】
なお、転がし移動時には、ロール製品２０全体の重量が当該プロテクタ１０に掛かり、プロテクタ本体１１が曲がることがあり得るが、緩衝空間３０が存在していることによって、プロテクタ本体１１が曲がったときのロール製品２０端部への当接は緩衝された状態となって、ロール製品２０を構成しているプラスチックフィルム等の端縁が汚損したり破れたりすることは殆どない。また、後述する実施形態のプロテクタ１０では、プロテクタ本体１１自体を合成樹脂を材料として形成しているから弾力性を有しているし、多数のリブ１５を有するものとして形成してもあるから、プロテクタ本体１１がロール製品２０の端部に損傷を与えるほど曲がることはない。
【００２１】
また、緩衝空間３０自体は、図１の（ｂ）にも示すように、当該プロテクタ１０の他の部分よりも肉厚なものとして形成し、かつロール製品２０の巻芯２１に当接するようにしたものであるから、ロール製品２０からの重力が支持筒１３に掛かかった際に、支持筒１３が変形するのを防止するし、ひいては、プロテクタ本体１１自身の変形をも防止するものである。
【００２２】
従って、この請求項１に係るプロテクタ１０は、ロール製品２０に対するセットが簡単に行えることは勿論、ロール製品２０の転がし移動が行えて、その際のロール製品２０の保護も十分行えるものとなっているのである。
【００２３】
また、上記課題を解決するために、請求項２に係る発明の採った手段は、上記請求項１に記載のプロテクタ１０について、
「プロテクタ本体１１の、支持筒１３とは反対側になる面の中央に、他のプロテクタ１０の隔離部１２及び支持筒１３を収納すべく開口する収納開口１４を形成したこと」
である。
【００２４】
この請求項２に係るプロテクタ１０では、図１の（ａ）にも示すように、プロテクタ本体１１の、支持筒１３とは反対側になる面の中央に収納開口１４を積極的に形成したものである。この収納開口１４は、他のプロテクタ１０の隔離部１２及び支持筒１３を収納すべく開口するものであり、図２に示すように、他のプロテクタ１０を当該プロテクタ１０に重ねることができるようにしたものである。
【００２５】
この種のプロテクタ１０は、多数のロール製品２０を個別的に保護するために用意され使用されるものであり、各ロール製品２０に対するセット前にも、使用後にセット場所に戻される際にも、同一箇所にたくさん保管され収容されるものでもある。このとき、平板状のプロテクタ本体１１と、これから大きく突出する支持筒１３とが一体化されていると、これらが互いに邪魔をして保管や収容が困難になるが、本発明に係るプロテクタ１０のように、収納開口１４が他のプロテクタ１０の隔離部１２及び支持筒１３を収納すべく開口していると、図２に示すような積み重ねができて、保管や収容が効率的に行えることになるのである。
【００２６】
換言すれば、この請求項２に係るプロテクタ１０は、図２に示すような方向で、一つのプロテクタ１０の収納開口１４に、他のプロテクタ１０の隔離部１２及び支持筒１３を収納することにより、多数のプロテクタ１０の保管や収容がデッドスペースを多く生じさせることなく行えるのである。
【００２７】
従って、この請求項２に係るプロテクタ１０は、上記請求項１のそれと同様な機能を発揮する他、複数のものを効率よく積み重ねることができるものとなっているのである。
【発明の効果】
【００２８】
以上説明した通り、本発明においては、
「円板状のプロテクタ本体１１と、
このプロテクタ本体１１の、ロール製品２０側となる面の中央に一体的に突出形成されて、ロール製品２０の巻芯２１の端面に当接することになる隔離部１２と、
この隔離部１２に一体化されて、巻芯２１の端部内に挿入される支持筒１３と、
を備えたこと」
にその構成上の主たる特徴があり、これにより、ロール製品２０に対するセットが簡単に行えることは勿論、ロール製品２０の転がし移動が行えて、その際のロール製品２０の保護も行えるプロテクタ１０を、簡単な構成によって提供することができるのである。
【図面の簡単な説明】
【００２９】
【図１】本発明に係るプロテクタ１０を示すもので、（ａ）は平面図、（ｂ）はロール製品２０の一端部にセットしたときの側面図である。
【図２】同プロテクタ１０の複数を積み重ねたときの拡大断面図である。
【図３】同プロテクタ１０をセットしたロール製品２０を転がし移動している様子を示す側面図である。
【図４】図３に示したものの部分拡大断面図である。
【図５】従来の技術を示す図４に対応した部分拡大断面図である。
【図６】特許文献２に示された技術を示す斜視図である。
【発明を実施するための形態】
【００３０】
次の、上記のように構成した各請求項に係る発明を、図面に示した実施の形態であるプロテクタ１０について説明すると、図１の（ａ）には、本実施形態のプロテクタ１０の平面図が、または図１の（ｂ）には、同プロテクタ１０をロール製品２０の端面にセットしたときの様子を示す側面が示してある。
【００３１】
この実施形態のプロテクタ１０は、円板状のプロテクタ本体１１と、このプロテクタ本体１１の、ロール製品２０側となる面の中央に一体的に突出形成した隔離部１２と、この隔離部１２に一体化した支持筒１３と、を備えたものとして、合成樹脂を材料として一体成形したものである。
【００３２】
プロテクタ本体１１は、図１の（ａ）及び（ｂ）に示したように、例えば、直径を３８０ｍｍ〜４７０ｍｍで、厚さが約２０ｍｍの「円板状」に形成したものであり、平面視「正六角形」あるいは「円形」、そして直線状の多数のリブ１５を有したものとしてある。各リブ１５間は多数の空間部１７としてあるが、各空間部１７は面部１６によって覆蓋された状態としてあり、この覆蓋状態は、図１の（ａ）にも示すように、交互に現出するようにしてある。換言すれば、このプロテクタ本体１１は多数のリブ１５や空間部１７が存在するものとすることにより、プロテクタ本体１１として必要な剛性を確保しながら、全体に要する合成樹脂の減量を図っているのである。
【００３３】
なお、本実施形態におけるプロテクタ本体１１については、図１の（ａ）にも示したように、そのリブ１５の一部について、平面視「正六角形」のものを連続させて、所謂ハニカム構造となるようにしてある。これにより、このプロテクタ本体１１は、リブ１５によるハニカム構造が創出する剛性を有した物となって、少ない材料で剛性の非常に高い物となっているのである。
【００３４】
また、このプロテクタ本体１１の、後述する支持筒１３とは反対側になる面の中央に、収納開口１４が形成してある。この収納開口１４は、図２に示したように、複数のプロテクタ１０を積み重ねる場合に、他のプロテクタ１０の、後述する隔離部１２及び支持筒１３を収納すべく開口するものであり、当該プロテクタ１０を型成形する際に、同時に形成されるものである。
【００３５】
ところで、プロテクタ１０を構成する隔離部１２は、プロテクタ本体１１が上記の大きさである場合、直径を９２ｍｍ〜１００ｍｍ程度にし、プロテクタ本体１１のロール製品２０側端面に約１０ｍｍ程度の高さでプロテクタ本体１１から突出する、「円環」状のものである。換言すれば、この隔離部１２は、当該プロテクタ１０をロール製品２０にセットしたとき、図１の（ｂ）にも示したように、ロール製品２０を構成している巻芯２１が当接する程度の直径を有し、当該ロール製品２０とプロテクタ本体１１との間に、１０ｍｍ程度の緩衝空間３０を形成するものである。なお、この円環状の隔離部１２の内面は、後述する支持筒１３の内面と段差なく連続しているものである。
【００３６】
一方、支持筒１３は、上記隔離部１２に一体化されて、ロール製品２０の巻芯２１の端部内に挿入されるものであり、プロテクタ本体１１が上述した大きさのものである場合、最大直径が７０ｍｍ〜７５ｍｍ程度で、高さが３５ｍｍ前後とものとしてある。また、この支持筒１３は、ロール製品２０の巻芯２１内に強制嵌合されるものであるが、この嵌合を容易にするため、先端部分の直径を上記最大直径に対して少し小さくなるようにしてある。なお、本実施形態における支持筒１３は、厚さを３ｍｍ程度としたものである。
【符号の説明】
【００３７】
１０    プロテクタ
１１    プロテクタ本体
１２    隔離部
１３    支持筒
１４    収納開口
１５    リブ
１６    面部
１７    空間部
２０    ロール製品
２１    巻芯
３０    緩衝空間
【図１】
2016050032.tif 000003
【図２】
2016050032.tif 000004
【図３】
2016050032.tif 000005
【図４】
2016050032.tif 000006
【図５】
2016050032.tif 000007
【図６】
2016050032.tif 000008